(57)【要約】無線通信システムは、基地局（４０）と基地制御局（２０）との間に接続された中継装置（３０）と、位置情報制御局（１０）とを備え、位置情報制御局（１０）は、位置情報を要求する地域の地域情報を含む位置情報要求を生成する要求生成部（１１）と、生成した位置情報要求を基地制御局（２０）へ送信する要求送信部（１２）とを備え、基地制御局（２０）は、位置情報制御局（１０）から送信された位置情報要求を受信する要求受信部（２１）と、受信した位置情報要求内の地域情報を含む位置情報要求を中継装置（３０）へ送信する要求送信部（２２）と、を備えるものである。これにより、位置情報要求を正確に送信することを可能にする。
2015063984.tif 000002
【特許請求の範囲】
【請求項１】
基地局と基地制御局との間に接続された中継装置と、前記基地局の位置情報を管理する位置情報制御局とを備えた無線通信システムであって、
前記位置情報制御局は、
前記位置情報を要求する地域の地域情報を含む位置情報要求を生成する要求生成手段と、
前記生成した位置情報要求を前記基地制御局へ送信する要求送信手段と、を備え、
前記基地制御局は、
前記位置情報制御局から送信された位置情報要求を受信する要求受信手段と、
前記受信した位置情報要求内の前記地域情報を含む位置情報要求を前記中継装置へ送信する要求送信手段と、を備える、
無線通信システム。
【請求項２】
前記基地制御局の要求送信手段は、前記地域情報に該当する一つ以上の前記基地局または前記基地局に接続する中継装置へ前記位置情報要求を送信する、
請求項１に記載の無線通信システム。
【請求項３】
前記中継装置は、
前記基地制御局から送信された位置情報要求を受信する要求受信手段と、
前記受信した位置情報要求内の前記地域情報に該当する一つ以上の前記基地局へ位置情報要求を送信する要求送信手段と、を備える、
請求項１または２に記載の無線通信システム。
【請求項４】
前記基地制御局は、
一つ以上の前記基地局または前記基地局に接続する中継装置から位置情報応答を受信する応答受信手段と、
前記受信した位置情報応答を集約して前記位置情報制御局へ送信する応答送信手段と、を備える、
請求項２に記載の無線通信システム。
【請求項５】
前記中継装置は、
一つ以上の前記基地局から位置情報応答を受信する応答受信手段と、
前記受信した位置情報応答を集約して前記基地制御局へ送信する応答送信手段と、を備える、
請求項３に記載の無線通信システム。
【請求項６】
前記送信する位置情報応答が複数の場合、前記位置情報応答に含まれる処理番号に集約された同一の処理であることを示す準処理番号が付与される、
請求項４または５に記載の無線通信システム。
【請求項７】
基地局と基地制御局との間に接続された中継装置と、前記基地局の位置情報を管理する位置情報制御局とを備えた無線通信システムにおける無線通信方法であって、
前記位置情報制御局は、
前記位置情報を要求する地域の地域情報を含む位置情報要求を生成し、
前記生成した位置情報要求を前記基地制御局へ送信し、
前記基地制御局は、
前記位置情報制御局から送信された位置情報要求を受信し、
前記受信した位置情報要求内の前記地域情報を含む位置情報要求を前記中継装置へ送信する、
無線通信方法。
【請求項８】
前記中継装置は、
前記基地制御局から送信された位置情報要求を受信し、
前記受信した位置情報要求内の前記地域情報に該当する一つ以上の前記基地局へ位置情報要求を送信する、
請求項７に記載の無線通信方法。
【請求項９】
基地局と基地制御局との間に接続された中継装置と、前記基地局の位置情報を管理する位置情報制御局とを備えた無線通信システムにおける基地制御局であって、
前記位置情報制御局から送信された、地域情報を含む位置情報要求を受信する要求受信手段と、
前記受信した位置情報要求内の前記地域情報を含む位置情報要求を前記中継装置へ送信する要求送信手段と、を備える、
基地制御局。
【請求項１０】
基地局と基地制御局との間に接続された中継装置と、前記基地局の位置情報を管理する位置情報制御局とを備えた無線通信システムにおける中世装置であって、
前記基地制御局から送信された、地域情報を含む位置情報要求を受信する要求受信手段と、
前記受信した位置情報要求内の前記地域情報に該当する一つ以上の前記基地局へ位置情報要求を送信する要求送信手段と、を備える、
中継装置。
【発明の詳細な説明】
【技術分野】
【０００１】
本発明は、無線通信システム、無線通信方法、基地制御局及び中継装置に関し、特に、位置情報制御局を備えた無線通信システム、無線通信方法、基地制御局及び中継装置に関する。
【背景技術】
【０００２】
無線通信システムであるＬＴＥ（Long Term Evolution）システムでは、通信端末（User Equipment：以下、ＵＥと称する）の位置情報を管理するために、位置管理センター（Enhanced Serving Mobile Location Centre：以下、Ｅ−ＳＭＬＣと称する）と、ＬＴＥ基地制御局（Mobility Management Entity：以下、ＭＭＥと称する）とＬＴＥ基地局(enhanced Node B：以下、ｅＮＢと称する）は、位置情報制御メッセージを送受信している。なお、ｅＮＢは小型無線基地局（Home enhanced Node B：以下、ＨｅＮＢと称する）を含む。【０００３】
前記位置情報制御メッセージにおいて、ＵＥの位置情報収集メッセージと、ＵＥの位置情報特定のために必要となるｅＮＢの位置関連情報収集メッセージとが存在するが、主に、本明細書は後者のｅＮＢの位置関連情報収集メッセージに関連している。【０００４】
関連するＬＴＥシステムの位置制御方法におけるネットワーク構成（ネットワークアーキテクチャ）を図１２に示す。【０００５】
図１２に示すように、関連するＬＴＥシステムは、ＵＥ（Ｎ９０５）、無線基地局ｅＮＢ（Ｎ９０３）、ｅＮＢ（Ｎ９０３）が構成するセル（Ｎ９０４）、ＵＥ（Ｎ９０５）のネットワーク内移動管理を実施するＭＭＥ（Ｎ９０２）、及びＵＥ（Ｎ９０５）とｅＮＢ（Ｎ９０３）の位置情報を管理・計算するＥ−ＳＭＬＣ（Ｎ９０１）を備える。ＵＥ（Ｎ９０５）は、セル（Ｎ９０４）内に在圏してｅＮＢ（Ｎ９０３）と接続する。それぞれのノードの役割については、非特許文献１及び５に開示されている。【０００６】
関連するＬＴＥシステムの位置制御方法におけるｅＮＢの位置関連情報収集メッセージの送受信に係るメッセージシーケンスを図１３に示す。【０００７】
Ｓ００１において、Ｅ−ＳＭＬＣ（Ｎ９０１）は、ｅＮＢ（Ｎ９０３）の位置情報を知るために、ＬＣＳ−ＡＰ：Ｃｏｎｎｅｃｔｉｏｎｌｅｓｓ  Ｉｎｆｏｒｍａｔｉｏｎメッセージを送信する。本メッセージの詳細については非特許文献２に開示されている。非特許文献２によると、本メッセージには、Ｓｏｕｒｃｅ  Ｉｄｅｎｔｉｔｙ，Ｄｅｓｔｉｎａｔｉｏｎ  Ｉｄｅｎｔｉｔｙ，ＡＰＤＵが設定される。Ｓｏｕｒｃｅ  ＩｄｅｎｔｉｔｙはＥ−ＳＭＬＣを特定するＥ−ＳＭＬＣ  Ｉｄｅｎｔｉｔｙ、Ｄｅｓｔｉｎａｔｉｏｎ  ＩｄｅｎｔｉｔｙはｅＮＢを特定するＧｌｏｂａｌ  ｅＮＢ  Ｉｄｅｎｔｉｔｙ、ＡＰＤＵには、ｅＮＢのどのような情報を必要とするのかを示す情報が含まれる。【０００８】
ＬＣＳ−ＡＰ：Ｃｏｎｎｅｃｔｉｏｎｌｅｓｓ  Ｉｎｆｏｒｍａｔｉｏｎメッセージ内のＡＰＤＵに含まれる情報の詳細は非特許文献４に開示されている。非特許文献４によると、一例として位置関連情報収集メッセージのうち、ｅＮＢの情報取得要求の一つである、ＬＰＰａ：ＯＴＤＯＡ  Ｉｎｆｏｒｍａｔｉｏｎ  Ｒｅｑｕｅｓｔが該当する。【０００９】
ＬＰＰａ：ＯＴＤＯＡ  Ｉｎｆｏｒｍａｔｉｏｎ  ＲｅｑｕｅｓｔメッセージにはＬＰＰａ  Ｔｒａｎｓａｃｔｉｏｎ  ＩＤ，ＯＴＤＯＡ  Ｉｎｆｏｒｍａｔｉｏｎ  Ｉｔｅｍが含まれる。ＬＰＰａ  Ｔｒａｎｓａｃｔｉｏｎ  ＩＤは一つの情報収集取得処理を特定するＩＤを示し、ＯＴＤＯＡ  Ｉｎｆｏｒｍａｔｉｏｎ  Ｉｔｅｍは、Ｅ−ＳＭＬＣが必要とするｅＮＢの情報項目が含まれる。たとえばｐｃｉ，ｃｅｌｌｉｄ，ｔａｃ，ｅａｒｆｃｎ，ｐｒｓＢａｎｄｗｉｄｔｈ，ｐｒｓＣｏｎｆｉｇＩｎｄｅｘ，ｃｐＬｅｎｇｔｈ，ｎｏＤｌＦｒａｍｅｓ，ｎｏＡｎｔｅｎｎａＰｏｒｔｓ，ｓＦＮＩｎｉｔＴｉｍｅ，…，ｅ−ＵＴＲＡＮＡｃｃｅｓｓＰｏｉｎｔＰｏｓｉｔｉｏｎ，ｐｒｓｍｕｔｉｎｇｃｏｎｆｉｇｕｒａｔｉｏｎである。それぞれの項目はＬＴＥシステム及びｅＮＢの位置関連情報として一般的な情報であるため、その詳細を省略する。【００１０】
Ｓ００２において、ＭＭＥ（Ｎ９０２）はＳ００１でＥ−ＳＭＬＣから受信したＬＣＳ−ＡＰ：Ｃｏｎｎｅｃｔｉｏｎｌｅｓｓ  Ｉｎｆｏｒｍａｔｉｏｎメッセージに含まれるＤｅｓｔｉｎａｔｉｏｎ  ＩｄｅｎｔｉｔｙのＧｌｏｂａｌ  ｅＮＢ  ＩＤ設定に従い、位置関連制御メッセージの送信対象となるｅＮＢを決定する。【００１１】
Ｓ００３において、ＭＭＥ（Ｎ９０２）はＳ００２で決定したｅＮＢにＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。本メッセージの詳細については非特許文献３に開示されている。非特許文献３によると、Ｒｏｕｔｉｎｇ  ＩＤとＬＰＰａ−ＰＤＵとが含まれ、Ｒｏｕｔｉｎｇ  ＩＤは０−２５５の任意の値であり、Ｅ−ＳＭＬＣ  Ｉｄｅｎｔｉｔｙが設定されていてもよい。ＬＰＰａ−ＰＤＵは、Ｅ−ＳＭＬＣからＳ００１で受信したＬＣＳ−ＡＰ：Ｃｏｎｎｅｃｔｉｏｎｌｅｓｓ  Ｉｎｆｏｒｍａｔｉｏｎメッセージに含まれるＡＰＤＵが含まれる。具体例としてＬＰＰａ：ＯＴＤＯＡ  Ｉｎｆｏｒｍａｔｉｏｎ  Ｒｅｑｕｅｓｔが該当する。【００１２】
Ｓ００４において、ｅＮＢ（Ｎ９０３）はＳ００３で受信したＯＴＤＯＡ  Ｉｎｆｏｒｍａｔｉｏｎ  Ｒｅｑｕｅｓｔに含まれるＯＴＤＯＡ  Ｉｎｆｏｒｍａｔｉｏｎ  Ｉｔｅｍ に従い、ｅＮＢ（Ｎ９０３）の位置関連情報を収集する。【００１３】
Ｓ００５において、ｅＮＢ（Ｎ９０３）はＭＭＥ（Ｎ９０２）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを送信する。本メッセージの詳細については、非特許文献３に開示されている。非特許文献３によると、Ｒｏｕｔｉｎｇ  ＩＤとＬＰＰａ−ＰＤＵとが含まれ、Ｒｏｕｔｉｎｇ  ＩＤはＳ００３で受信したＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージと同じ値を設定し、ＬＰＰａ−ＰＤＵは、ｅＮＢ位置関連情報が含まれる。【００１４】
Ｓ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージ内のＬＰＰａ−ＰＤＵに含まれる情報の詳細は非特許文献４に開示されている。非特許文献４によると、ｅＮＢの応答メッセージの一つである、ＬＰＰａ：ＯＴＤＯＡ  Ｉｎｆｏｒｍａｔｉｏｎ  Ｒｅｓｐｏｎｓｅが該当する。ＬＰＰａ：ＯＴＤＯＡ  Ｉｎｆｏｒｍａｔｉｏｎ  Ｒｅｓｐｏｎｓｅメッセージには、ＬＰＰａ  Ｔｒａｎｓａｃｔｉｏｎ  ＩＤとＯＴＤＯＡ  Ｃｅｌｌ  Ｉｎｆｏｒｍａｔｉｏｎが、ｅＮＢが構築するセル数分含まれる。ＬＰＰａ  Ｔｒａｎｓａｃｔｉｏｎ  ＩＤは、Ｓ００３で受信したＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに含まれる、ＬＰＰａ：ＯＴＤＯＡ  Ｉｎｆｏｒｍａｔｉｏｎ  Ｒｅｑｕｅｓｔメッセージに設定された値と同一である。ＯＴＤＯＡ  Ｃｅｌｌ  Ｉｎｆｏｒｍａｔｉｏｎは、Ｓ００３で受信したＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに含まれる、ＬＰＰａ：ＯＴＤＯＡ  Ｉｎｆｏｒｍａｔｉｏｎ  Ｒｅｑｕｅｓｔメッセージに設定される。ＯＴＤＯＡ  Ｃｅｌｌ  Ｉｎｆｏｒｍａｔｉｏｎには、ＯＴＤＯＡ  Ｉｎｆｏｒｍａｔｉｏｎ  Ｉｔｅｍに関するｅＮＢ位置関連情報が設定される。ＯＴＤＯＡ  Ｃｅｌｌ  Ｉｎｆｏｒｍａｔｉｏｎは、非特許文献４によると最大２５６セルを設定できる。【００１５】
Ｓ００６において、ＭＭＥ（Ｎ９０２）はＳ００５で受信したＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージ内に含まれる、Ｒｏｕｔｉｎｇ  ＩＤとＬＰＰａ−ＰＤＵに該当するＬＣＳ−ＡＰ：Ｃｏｎｎｅｃｔｉｏｎｌｅｓｓ  ＩｎｆｏｒｍａｔｉｏｎメッセージをＥ−ＳＭＬＣ（Ｎ９０１）に送信する。前述の通り、本メッセージには、Ｓｏｕｒｃｅ  Ｉｄｅｎｔｉｔｙ，Ｄｅｓｔｉｎａｔｉｏｎ  Ｉｄｅｎｔｉｔｙ，ＡＰＤＵが設定される。Ｓｏｕｒｃｅ  ＩｄｅｎｔｉｔｙはｅＮＢを特定するＧｌｏｂａｌ  ｅＮＢ  Ｉｄｅｎｔｉｔｙ、Ｄｅｓｔｉｎａｔｉｏｎ  ＩｄｅｎｔｉｔｙはＥ−ＳＭＬＣを特定するＥ−ＳＭＬＣ  Ｉｄｅｎｔｉｔｙ、ＡＰＤＵには、Ｓ００５で受信したＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージ内に含まれるＬＰＰａ−ＰＤＵを設定する。ＭＭＥ（Ｎ９０２）はＳ００１に関連づけてＳ００３，Ｓ００５を管理して、Ｓ００６のメッセージを構築し、Ｅ−ＳＭＬＣ（Ｎ９０１）へ送信してもよいし、Ｓ００５の送出元ｅＮＢの情報とＳ００５に含まれるＲｏｕｔｉｎｇ  ＩＤをＳ００６のＬＣＳ−ＡＰ：Ｃｏｎｎｅｃｔｉｏｎｌｅｓｓ  ＩｎｆｏｒｍａｔｉｏｎメッセージのＳｏｕｒｃｅ  Ｉｄｅｎｔｉｔｙ，Ｄｅｓｔｉｎａｔｉｏｎ  Ｉｄｅｎｔｉｔｙとしてもよい。【００１６】
その後、Ｅ−ＳＭＬＣ（Ｎ９０１）は取得したｅＮＢ（Ｎ９０３）の情報を、ＵＥ（Ｎ９０５）の位置情報の特定のために必要な情報として保存する。なお、ＵＥから取得される情報と、ｅＮＢから取得したｅＮＢの位置関連情報と用いて計算する事で、Ｅ−ＳＭＬＣは高精度のＵＥ位置情報を算出する事が出来る。この詳細は本明細書とは直接関係しないため省略する。【００１７】
以上、Ｓ００１〜Ｓ００６は、非特許文献１に定義されている位置情報収集メッセージの送受信であるが、本手順には図１２に示す構成でのみ実現される。
【先行技術文献】
【非特許文献】
【００１８】
【非特許文献１】3GPP TS 23.271 V11.2.0 (2013-03) Technical Specification 3rd Generation Partnership Project; Technical Specification Group Services and System Aspects; Functional stage 2 description of Location Services (LCS) (Release 11)
【非特許文献２】3GPP TS 29.171 V11.3.0 (2013-06) Technical Specification 3rd Generation Partnership Project; Technical Specification Group Core Network and Terminals; Location Services (LCS); LCS Application Protocol (LCS-AP) between the Mobile Management Entity (MME) and Evolved Serving Mobile Location Centre (E-SMLC); SLs interface (Release 11)
【非特許文献３】3GPP TS 36.413 V11.4.0 (2013-06) Technical Specification 3rd Generation Partnership Project; Technical Specification Group Radio Access Network; Evolved Universal Terrestrial Radio Access Network (E-UTRAN); S1 Application Protocol (S1AP) (Release 11)
【非特許文献４】3GPP TS 36.455 V11.3.0 (2013-06) Technical Specification 3rd Generation Partnership Project; Technical Specification Group Radio Access Network; Evolved Universal Terrestrial Radio Access (E-UTRA); LTE Positioning Protocol A (LPPa) (Release 11)
【非特許文献５】3GPP TS 36.300 V11.6.0 (2013-06) Technical Specification 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 11)
【非特許文献６】3GPP TR 36.842 V0.2.0 (2013-05) Technical Report 3rd Generation Partnership Project; Technical Specification Group Radio Access Network; Evolved Universal Terrestrial Radio Access (E-UTRA); Study on Small Cell Enhancements for E-UTRA and E-UTRAN - Higher layer aspects (Release 12)
【特許文献】
【００１９】
【特許文献１】特開２０１２−４４２８６号公報
【発明の概要】
【発明が解決しようとする課題】
【００２０】
図１２のような関連するＬＴＥシステムの構成に加えて、ＭＭＥとＨｅＮＢとの間にＨｏｍｅ  ｅＮＢ  Ｇａｔｅｗａｙ（以下、ＨｅＮＢＧＷもしくはＧＷと称する）を備える場合がある。【００２１】
このようなＨｅＮＢＧＷとＨｅＮＢから構成されるＬＴＥ（ＨｅＮＢ）システムにおいて、ＧＷ配下に複数のＨｅＮＢが接続される場合、またＧＷに複数のＭＭＥが接続される場合、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージとＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを正しくＨｅＮＢまたはＭＭＥに送信する事ができなかった。特に、関連する技術では、位置情報要求（Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージ）を正確に送信することができないという問題があった。【００２２】
その理由が、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージにおいて、ＨｅＮＢを特定する情報が含まれていないためである。なお、同様な問題は、Ｒｅｌａｙ  ｅＮＢとＤｏｎｏｒ  ｅＮＢとの関係や、Ｍａｓｔｅｒ  ｅＮＢとＳｌａｖｅ  ｅＮＢとの関係でも存在する。【００２３】
本発明は、このような課題に鑑み、位置情報要求を正確に送信することが可能な無線通信システム、無線通信方法、基地制御局及び中継装置を提供することを目的とする。
【課題を解決するための手段】
【００２４】
本発明に係る無線通信システムは、基地局と基地制御局との間に接続された中継装置と、前記基地局の位置情報を管理する位置情報制御局とを備えた無線通信システムであって、前記位置情報制御局は、前記位置情報を要求する地域の地域情報を含む位置情報要求を生成する要求生成部と、前記生成した位置情報要求を前記基地制御局へ送信する要求送信部と、を備え、前記基地制御局は、前記位置情報制御局から送信された位置情報要求を受信する要求受信部と、前記受信した位置情報要求内の前記地域情報を含む位置情報要求を前記中継装置へ送信する要求送信部と、を備えるものである。【００２５】
本発明に係る無線通信方法は、基地局と基地制御局との間に接続された中継装置と、前記基地局の位置情報を管理する位置情報制御局とを備えた無線通信システムにおける無線通信方法であって、前記位置情報制御局は、前記位置情報を要求する地域の地域情報を含む位置情報要求を生成し、前記生成した位置情報要求を前記基地制御局へ送信し、前記基地制御局は、前記位置情報制御局から送信された位置情報要求を受信し、前記受信した位置情報要求内の前記地域情報を含む位置情報要求を前記中継装置へ送信するものである。【００２６】
本発明に係る基地制御局は、基地局と基地制御局との間に接続された中継装置と、前記基地局の位置情報を管理する位置情報制御局とを備えた無線通信システムにおける基地制御局であって、前記位置情報制御局から送信された、地域情報を含む位置情報要求を受信する要求受信部と、前記受信した位置情報要求内の前記地域情報を含む位置情報要求を前記中継装置へ送信する要求送信部と、を備えるものである。【００２７】
本発明に係る中継装置は、基地局と基地制御局との間に接続された中継装置と、前記基地局の位置情報を管理する位置情報制御局とを備えた無線通信システムにおける中世装置であって、前記基地制御局から送信された、地域情報を含む位置情報要求を受信する要求受信部と、前記受信した位置情報要求内の前記地域情報に該当する一つ以上の前記基地局へ位置情報要求を送信する要求送信部と、を備えるものである。
【発明の効果】
【００２８】
本発明によれば、位置情報要求を正確に送信することが可能な無線通信システム、無線通信方法、基地制御局及び中継装置を提供することができる。
【図面の簡単な説明】
【００２９】
【図１】参考例のＬＴＥシステムのネットワーク構成を示す構成図である。
【図２Ａ】参考例のＬＴＥシステムの位置制御方法を示すメッセージシーケンス図である。
【図２Ｂ】参考例のＬＴＥシステムの位置制御方法を示すメッセージシーケンス図である。
【図３】実施の形態１に係る無線通信システムの概要を示す構成図である。
【図４】実施の形態１に係る基地制御局の内部構成を示す構成図である。
【図５】実施の形態１に係る中継装置の内部構成を示す構成図である。
【図６Ａ】実施の形態１に係るＬＴＥシステムの位置制御方法を示すメッセージシーケンス図である。
【図６Ｂ】実施の形態１に係るＬＴＥシステムの位置制御方法を示すメッセージシーケンス図である。
【図７】実施の形態２に係るＬＴＥシステムのネットワーク構成を示す構成図である。
【図８】実施の形態２に係るＬＴＥシステムのプロトコルスタックを示す図である。
【図９】実施の形態２に係るＬＴＥシステムの位置制御方法を示すメッセージシーケンス図である。
【図１０】実施の形態３に係るＬＴＥシステムのネットワーク構成を示す構成図である。
【図１１】実施の形態３に係るＬＴＥシステムの位置制御方法を示すメッセージシーケンス図である。
【図１２】関連するＬＴＥシステムのネットワーク構成を示す構成図である。
【図１３】関連するＬＴＥシステムの位置制御方法を示すメッセージシーケンス図である。
【発明を実施するための形態】
【００３０】
（参考例）
実施の形態の説明の前に、実施の形態適用前の参考例について説明する。
【００３１】
３ＧＰＰで規定されているネットワークアーキテクチャには、非特許文献５のＦｉｇｕｒｅ  ４．６．１−２に示すように、ＭＭＥとＨｅＮＢとの間にＨｅＮＢＧＷ（ＧＷ）が中継するアーキテクチャが存在する。その一例を参考例として図１に示す。なお、非特許文献５のＦｉｇｕｒｅ  ４．７.３−１に示すように、ＭＭＥとＲＮ（Relay Node）との間にＤｅＮＢ（Donor eNB）が中継するアーキテクチャや、非特許文献６のＦｉｇｕｒｅ  ８．１.１−１に示すように、ＭｅＮＢ（Master eNB）とＵＥとの間にＳｅＮＢ（Secondary eNB）が存在するアーキテクチャなど、ＭＭＥが基地局（ｅＮＢ、ＨｅＮＢ、ＲＮ、ＳｅＮＢ等）と直接接続されないアーキテクチャにおいても同様に、図１に示す構成で表現される。
【００３２】
図１に示すように、参考例のＬＴＥシステムは、ＵＥ（Ｎ００５）、小型無線基地局ＨｅＮＢ（Ｎ１０３）、ＨｅＮＢ（Ｎ１０３）が構成するセル（Ｎ１０４）、ＵＥ（Ｎ００５）のネットワーク内移動管理を実施するＭＭＥ（Ｎ００２）、ＨｅＮＢ（Ｎ１０３）とＭＭＥ（Ｎ００２）との間に位置し複数のＨｅＮＢ（Ｎ１０３）とＭＭＥ（Ｎ００２）間のＳ１ＡＰメッセージやユーザデータトラフィックを集約（中継）するＧＷ（Ｎ１０６）、及びＵＥ（Ｎ００５）とＨｅＮＢ（Ｎ００３）の位置情報を管理・計算するＥ−ＳＭＬＣ（Ｎ００１）を備える。ＵＥ（Ｎ００５）は、セル（Ｎ１０４）内に在圏してＨｅＮＢ（Ｎ１０３）と接続する。それぞれのノードの役割については、非特許文献１及び５に開示されている。
【００３３】
またＨｅＮＢの場合、２５６個を超えて非常に多くのＨｅＮＢが一つのＨｅＮＢ  ＧＷに接続する事が一般的である。たとえば、ＨｅＮＢを１０万局といった接続数である。
【００３４】
図１に示すアーキテクチャにおいて、図１３のようなｅＮＢの情報収集メッセージの送受信を行った場合に課題があり、その様子を図２Ａ及び図２Ｂに示す。図２Ａ及び図２Ｂの各ステップとともに、その課題を説明する。
【００３５】
図２Ａ及び図２Ｂによると、Ｓ１０１において、Ｅ−ＳＭＬＣ（Ｎ００１）は、ＨｅＮＢ（Ｎ１０３）の位置情報を知るために、ＬＣＳ−ＡＰ：Ｃｏｎｎｅｃｔｉｏｎｌｅｓｓ  ＩｎｆｏｒｍａｔｉｏｎメッセージをＭＭＥ（Ｎ００２）に送信する。
【００３６】
Ｓ１０２において、ＭＭＥ（Ｎ００２）はＳ１０１でＥ−ＳＭＬＣ（Ｎ００１）から受信したＬＣＳ−ＡＰ：Ｃｏｎｎｅｃｔｉｏｎｌｅｓｓ  ＩｎｆｏｒｍａｔｉｏｎメッセージのＤｅｓｔｉｎａｔｉｏｎ  Ｉｄｅｎｔｉｔｙ（Global eNB ID）に従い、位置制御情報メッセージの転送先を検索する。
【００３７】
ここで、課題１が生じる。すなわち、Ｄｅｓｔｉｎａｔｉｏｎ  Ｉｄｅｎｔｉｔｙに、ＧＷを特定するｅＮＢ  ＩＤが設定されている場合、ＭＭＥに接続されているＧＷを選択してＳ１０３に遷移できるが、のちのＳ１０９で受信するＯＴＤＯＡ  Ｃｅｌｌ  ＩｎｆｏｒｍａｔｉｏｎはＧＷ配下のＨｅＮＢの位置関連情報が設定されなければ、ＵＥの位置情報を算出するための情報は得られない。そのためＤｅｓｔｉｎａｔｉｏｎ  Ｉｄｅｎｔｉｔｙには、ＧＷ配下の各ＨｅＮＢを特定するｅＮＢ  ＩＤが設定され、ＭＭＥは当該ＨｅＮＢを配下に接続しているＧＷを選択する事となる。一般にＨｅＮＢを集約して一つのｅＮＢとしてふるまうＨｅＮＢＧＷが存在するため、通常ＭＭＥは各ＨｅＮＢのｅＮＢ  ＩＤを管理する事はなく、どのＧｌｏｂａｌ  ｅＮＢ  ＩＤがどのＧＷ配下に存在するのかはわからない。
【００３８】
Ｓ１０３において、ＭＭＥ（Ｎ００２）はＳ１０２で決定したＧＷ（Ｎ１０６）にＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００３９】
Ｓ１０４において、ＧＷ（Ｎ１０６）はＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを転送するＨｅＮＢを検索する。
【００４０】
ここで、課題２が生じる。すなわち、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージには、ＧＷ配下のＨｅＮＢを特定するためのＧｌｏｂａｌ  ｅＮＢ  ＩＤが含まれていない。
【００４１】
さらに、課題３が生じる。すなわち、ＧＷ配下の全ＨｅＮＢがＯＴＤＯＡ  Ｃｅｌｌ  Ｉｎｆｏｒｍａｔｉｏｎ取得の対象である場合、前述の通りＨｅＮＢＧＷに接続するＨｅＮＢ数はＯＴＤＯＡ  Ｃｅｌｌ  Ｉｎｆｏｒｍａｔｉｏｎに設定可能な数である２５６を一般的に超過している。ＯＴＤＯＡ  Ｃｅｌｌ  Ｉｎｆｏｒｍａｔｉｏｎが含まれるＯＴＤＯＡ  Ｉｎｆｏｒｍａｔｉｏｎ  ＲｅｓｐｏｎｓｅメッセージにはＬＰＰａ  Ｔｒａｎｓａｃｔｉｏｎ  ＩＤも含まれ、一つの手順を特定するＴｒａｎｓａｃｔｉｏｎ  ＩＤを重複利用する事は出来ない。
【００４２】
Ｓ１０５において、ＧＷ（Ｎ１０６）はＳ１０４で決定したＨｅＮＢ（Ｎ１０３）にＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００４３】
Ｓ１０６において、ＨｅＮＢ（Ｎ１０３）はＳ１０５で受信したＯＴＤＯＡ  Ｉｎｆｏｒｍａｔｉｏｎ  Ｒｅｑｕｅｓｔに含まれるＯＴＤＯＡ  Ｉｎｆｏｒｍａｔｉｏｎ  Ｉｔｅｍ に従い、ＨｅＮＢ（Ｎ１０３）の情報を収集する。
【００４４】
Ｓ１０７において、ＨｅＮＢ（Ｎ１０３）はＧＷ（Ｎ１０６）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００４５】
Ｓ１０８において、ＧＷ（Ｎ１０６）はＭＭＥ（Ｎ００２）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを転送する。
【００４６】
Ｓ１０９において、ＭＭＥ（Ｎ００２）はＥ−ＳＭＬＣ（Ｎ００１）にＬＣＳ−ＡＰ：Ｃｏｎｎｅｃｔｉｏｎｌｅｓｓ  Ｉｎｆｏｒｍａｔｉｏｎメッセージを送信する。
【００４７】
ここで、課題４が生じる。すなわち、Ｓ１０１〜Ｓ１０９の一連の処理は、Ｄｅｓｔｉｎａｔｉｏｎ  Ｉｄｅｎｔｉｔｙに指定されることが可能なｅＮＢ毎に繰り返し実施することのみが可能であって、複数のｅＮＢに同時に実行する事が出来ない。
【００４８】
そこで、実施の形態では、上記課題を例えば次のように解決することを特徴とする。
【００４９】
課題１を解決する一例として、ＭＭＥはＧＷ配下のＨｅＮＢのＧｌｏｂａｌ  ｅＮＢ  ＩＤを管理する。これにより、ＭＭＥは、Ｇｌｏｂａｌ  ｅＮＢ  ＩＤに基づいて、該当するＨｅＮＢを配下に接続するＧＷを選択することができる。
【００５０】
課題２を解決する一例として、ＭＭＥは通常のＳ１ＡＰメッセージとは異なり、ＧＷ配下のｅＮＢとダイレクトインタフェースを接続し、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。これにより、ＭＭＥが位置情報要求をｅＮＢへ直接送信することができる。ＭＭＥとｅＮＢ間のトンネリング経路を構築してもよい。
【００５１】
また、課題２を解決する他の例として、Ｅ−ＳＭＬＣはＧＷとダイレクトインタフェースを接続し、ＬＣＳ−ＡＰ：Ｃｏｎｎｅｃｔｉｏｎｌｅｓｓ  Ｉｎｆｏｒｍａｔｉｏｎ メッセージは、ダイレクトインタフェースを用いて送信する。これにより、Ｅ−ＳＭＬＣが位置情報要求をＧＷへ直接送信することができる。Ｅ−ＳＭＬＣとＧＷ間のトンネリング経路を構築してもよい。他のＬＣＳ−ＡＰメッセージ、たとえば、ＬＣＳ−ＡＰ：Ｃｏｎｎｅｃｔｉｏｎ  Ｏｒｉｅｎｔｅｄ  ｍｅｓｓａｇｅについては、Ｅ−ＳＭＬＣは通常通りＭＭＥを経由して送信される。
【００５２】
なお、課題２を解決するために、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに、ＧＷ配下のＨｅＮＢを特定するＧｌｏｂａｌ  ｅＮＢ  ＩＤ情報を含めてもよいし、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに含まれるＬＰＰａ：ＯＴＤＯＡ  Ｉｎｆｏｒｍａｔｉｏｎ  Ｒｅｑｕｅｓｔメッセージに、ＧＷ配下のＨｅＮＢを特定するＧｌｏｂａｌ  ｅＮＢ  ＩＤ情報を含めてもよい。
【００５３】
課題３を解決する一例として、ＯＴＤＯＡ  Ｉｎｆｏｒｍａｔｉｏｎ  Ｒｅｓｐｏｎｓｅメッセージに設定可能なセル数を増やす。これにより、２５６以上のセル数に対応することができる。また、課題３を解決する他の例として、ＯＴＤＯＡ  Ｉｎｆｏｒｍａｔｉｏｎ  Ｒｅｓｐｏｎｓｅメッセージを複数送信する事を可能とする。Ｓｕｂ‐Ｔｒａｎｓａｃｔｉｏｎ  ＩＤを含めることで、一つのＴｒａｎｓａｃｔｉｏｎ  ＩＤとの関連性を持たせる事も可能である。
【００５４】
課題４を解決する一例として、ＬＣＳ−ＡＰ：Ｃｏｎｎｅｃｔｉｏｎｌｅｓｓ  Ｉｎｆｏｒｍａｔｉｏｎメッセージにおいて、Ｄｅｓｔｉｎａｔｉｏｎ  Ｉｄｅｎｔｉｔｙに指定されるｅＮＢのみではなく、位置エリア情報を設定する事を可能とする。これにより、当該エリアに位置するｅＮＢ全てのｅＮＢ位置情報が応答となる。本アーキテクチャにおいては、ＧＷがその応答メッセージを一つまたは複数に束ねてもよい。特定する位置エリアとしては、住所情報や緯度経度情報だけでなく、各ｅＮＢに付与された論理ＩＤとしてＰｏｓｉｔｉｏｎｉｎｇ  Ａｒｅａ  ＩＤ、Ｔｒａｃｋｉｎｇ  Ａｒｅａ，Ｅｍｅｒｇｅｎｃｙ  Ａｒｅａでもよく、またＨｅｔＮｅｔ環境では、当該ｅＮＢのセルをカバーするセルのＣｅｌｌ  Ｉｄｅｎｔｉｔｙでもよい。
【００５５】
（実施の形態１）
以下、図面を参照して実施の形態１について説明する。本実施の形態は、位置情報要求においてエリア情報を指定する例である。
【００５６】
＜実施の形態１の概要＞
まず、本実施の形態の概要について説明する。図３は、本実施の形態に係る無線通信システムの概略を示している。図３に示すように、本実施の形態に係る無線通信システムは、基地局４０と基地制御局２０との間に接続された中継装置３０と、基地局４０の位置情報を管理する位置情報制御局１０とを備えている。
【００５７】
そして、位置情報制御局１０は、位置情報を要求する地域の地域情報を含む位置情報要求を生成する要求生成部１１と、生成した位置情報要求を基地制御局２０へ送信する要求送信部１２と、を備えている。さらに、基地制御局２０は、位置情報制御局から送信された位置情報要求を受信する要求受信部２１と、受信した位置情報要求内の地域情報を含む位置情報要求を中継装置３０へ送信する要求送信部２２と、を備えている。
【００５８】
本実施の形態では、このように位置情報要求において地域情報（エリア情報）を指定することにより、当該地域に含まれる基地局へ、位置情報要求を正確に送信（転送）することができる。
【００５９】
＜実施の形態１の構成＞
本実施の形態におけるノードのネットワーク構成については図１と同じである。すなわち、本実施の形態に係るＬＴＥシステム（無線通信システム）は、図１に示すように、ＵＥ（Ｎ００５）、ＨｅＮＢ（Ｎ１０３）、セル（Ｎ１０４）、ＭＭＥ（Ｎ００２）、ＧＷ（Ｎ１０６）、Ｅ−ＳＭＬＣ（Ｎ００１）を備えている。例えば、本実施の形態に係るＥ−ＳＭＬＣ（Ｎ００１）は、位置関連情報メッセージ（位置情報要求）を生成する位置関連情報メッセージ生成部（要求生成部）と、生成した位置関連情報メッセージをＭＭＥ（Ｎ００２）へ送信する位置関連情報メッセージ送信部（要求送信部）とを備えている（不図示）。
【００６０】
本実施の形態ではＨｅＮＢとＭＭＥとの間にＨｅＮＢＧＷが接続されるケースを一例として表現しているが、ＭＭＥといずれの形態の基地局（ｅＮＢ、ＨｅＮＢ、ＲＮ、ＳｅＮＢ等）との間に中継装置が接続されるアーキテクチャにおいても同様に、本実施の形態を適用してもよい。
【００６１】
図１に登場する、本実施の形態に係るＭＭＥ（Ｎ００２）の内部構成、本実施の形態に係るＧＷ（Ｎ１０６）の内部構成をそれぞれ図４、図５に示す。
【００６２】
図４によると、本実施の形態に係るＭＭＥ（Ｎ００２）は、ＧＷ（Ｎ１０６）配下に接続されるＨｅＮＢ（Ｎ１０３）の情報とＨｅＮＢ（Ｎ１０３）が接続されているＧＷ（Ｎ１０６）の情報を含むＨｅＮＢ及びＧＷ情報データベース（HeNB/GW Information DB）Ｎ００２１と、位置関連情報メッセージ処理部（Location Information message processing part）Ｎ００２２と、位置関連情報メッセージ転送部（Location Information message forwarding part）Ｎ００２３とを備える。例えば、位置関連情報メッセージ処理部Ｎ００２２は、Ｅ−ＳＭＬＣ（Ｎ００１）から送信された位置関連情報メッセージ（位置情報要求）を受信する位置関連情報メッセージ受信部（要求受信部）であり、位置関連情報メッセージ転送部Ｎ００２３は、受信した位置関連情報メッセージに基づいてＧＷ（Ｎ１０６）またはＨｅＮＢ（Ｎ１０３）へ送信する位置関連情報メッセージ送信部（要求送信部）であるとも言える。また、位置関連情報メッセージ処理部Ｎ００２２は、一つ以上のＨｅＮＢ（Ｎ１０３）またはＧＷ（Ｎ１０６）から位置関連情報メッセージ（位置情報応答）を受信する位置関連情報メッセージ受信部（応答受信部）であり、位置関連情報メッセージ転送部Ｎ００２３は、受信した位置関連情報メッセージ（位置情報応答）を集約してＥ−ＳＭＬＣ（Ｎ００１）へ送信する位置関連情報メッセージ送信部（応答送信部）であるとも言える。なお、ＭＭＥ（Ｎ００２）内の他の機能部に関する構成要素は、本実施の形態とは直接関係しないため省略する。
【００６３】
図５によると、本実施の形態に係るＧＷ（Ｎ１０６）は、ＧＷ（Ｎ１０６）配下に接続されるＨｅＮＢ（Ｎ１０３）の情報を含むＨｅＮＢ情報データベース（HeNB Information DB）Ｎ１０６１と、位置関連情報メッセージ処理部（Location Information message processing part）Ｎ１０６２と、位置関連情報メッセージ転送部（Location Information message forwarding part）Ｎ１０６３とを備える。例えば、位置関連情報メッセージ処理部Ｎ１０６２は、ＭＭＥ（Ｎ００２）から送信された位置関連情報メッセージ（位置情報要求）を受信する位置関連情報メッセージ受信部（要求受信部）であり、位置関連情報メッセージ転送部Ｎ１０６３は、受信した位置関連情報メッセージに基づいて一つ以上のＨｅＮＢ（Ｎ１０３）へ送信する位置関連情報メッセージ送信部（要求送信部）であるとも言える。また、位置関連情報メッセージ処理部Ｎ１０６２は、一つ以上のＨｅＮＢ（Ｎ１０３）から位置関連情報メッセージ（位置情報応答）を受信する位置関連情報メッセージ受信部（応答受信部）であり、位置関連情報メッセージ転送部Ｎ１０６３は、受信した位置関連情報メッセージ（位置情報応答）を集約してＭＭＥ（Ｎ００２）へ送信する位置関連情報メッセージ送信部（応答送信部）であるとも言える。なお、ＧＷ（Ｎ１０６）内の他の機能部に関する構成要素は、本実施の形態とは直接関係しないため省略する。
【００６４】
図４のＨｅＮＢ及びＧＷ情報データベースＮ００２１において、ＧＷ（Ｎ１０６）が接続するＨｅＮＢ（Ｎ１０３）が存在する位置情報エリアと前記位置情報エリアに該当するＧＷ（Ｎ１０６）の情報とを保管する。一つのＨｅＮＢ（Ｎ１０３）が複数の位置情報エリアに属していてもよく、一つのＧＷ（Ｎ１０６）が異なる位置情報エリアのＨｅＮＢ（Ｎ１０３）を接続する事で、複数の位置情報エリアに属していてもよい。位置情報エリアの具体例として、住所や郵便番号、緯度経度情報のほかに、ＴＡＩ（Ｔｒａｃｋｉｎｇ  Ａｒｅａ  Ｉｄｅｎｔｉｔｙ）や、Ｅｍｅｒｇｅｎｃｙ  Ａｒｅａ、ＣＳＧ  ＩＤ、ＨｅＮＢをカバーするＭａｃｒｏ  ＣｅｌｌのＣｅｌｌ  Ｉｄｅｎｔｉｔｙなどがあげられる。
【００６５】
図５のＨｅＮＢ情報データベースＮ１０６１において、ＧＷ（Ｎ１０６）と接続するＨｅＮＢ（Ｎ１０３）の位置情報エリアの情報を保管する。
【００６６】
＜実施の形態１の動作＞
本実施の形態の動作を図６Ａ及び図６Ｂに示すメッセージシーケンス図を用いて説明する。図６Ａ及び図６Ｂの動作は、図２Ａ及び図２Ｂとほぼ同じであるが、以下の点で異なる。
【００６７】
図６Ａ及び図６Ｂに示すように、Ｓ３０１において、Ｅ−ＳＭＬＣ（Ｎ００１）は、ＨｅＮＢ（Ｎ１０３）の位置情報を知るために、ＬＣＳ−ＡＰ：Ｃｏｎｎｅｃｔｉｏｎｌｅｓｓ  ＩｎｆｏｒｍａｔｉｏｎメッセージをＭＭＥ（Ｎ００２）に送信する。
【００６８】
Ｓ３０１における本実施の形態の特徴として、Ｅ−ＳＭＬＣ（Ｎ００１）は、Ｄｅｓｔｉｎａｔｉｏｎ  Ｉｄｅｎｔｉｔｙにおいて、Ｇｌｏｂａｌ  ｅＮＢ  ＩＤの代わりに情報を取得したい位置情報エリア（Positioning Area ID）を指定する。
【００６９】
Ｓ３０２において、ＭＭＥ（Ｎ００２）はＥ−ＳＭＬＣ（Ｎ００１）からＳ３０１で受信したＬＣＳ−ＡＰ：Ｃｏｎｎｅｃｔｉｏｎｌｅｓｓ  Ｉｎｆｏｒｍａｔｉｏｎメッセージに含まれるＤｅｓｔｉｎａｔｉｏｎ  Ｉｄｅｎｔｉｔｙ（Positioning Area ID）に従い、位置制御情報メッセージの転送先を検索する。
【００７０】
Ｓ３０２における本実施の形態の特徴として、ＭＭＥ（Ｎ００２）は、Ｓ３０１で受信した位置関連情報メッセージを図４に示す位置関連情報メッセージ処理部Ｎ００２２で解析する。Ｄｅｓｔｉｎａｔｉｏｎ  Ｉｄｅｎｔｉｔｙに含まれるＰｏｓｉｔｉｏｎｉｎｇ  Ａｒｅａ  ＩＤに該当するエリアのＨｅＮＢ（Ｎ１０３）と接続するＧＷ（Ｎ１０６）の情報を、ＨｅＮＢ及びＧＷ情報データベースＮ００２１から抽出する。そして、ＭＭＥ（Ｎ００２）は位置関連情報メッセージ転送部Ｎ００２３において、ＨｅＮＢ及びＧＷ情報データベースＮ００２１から抽出されたＧＷ（Ｎ１０６）に向けて位置関連情報メッセージを転送する。
【００７１】
Ｓ３０３において、ＭＭＥ（Ｎ００２）はＳ３０２で決定したＧＷ（Ｎ１０６）にＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００７２】
Ｓ３０３における本実施の形態の特徴として、ＭＭＥ（Ｎ００２）は、Ｓ３０１で受信するＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに、Ｓ３０２においてデータベースから抽出したＧＷ情報の位置情報データベースから得られるＨｅＮＢ情報のエリア情報（Positioning Area ID）を設定する。Ｓ３０１におけるＬＣＳ−ＡＰ：Ｃｏｎｎｅｃｔｉｏｎｌｅｓｓ  Ｉｎｆｏｒｍａｔｉｏｎに設定されているＤｅｓｔｉｎａｔｉｏｎ  Ｉｄｅｎｔｉｔｙが設定されていてもよい。なお、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージ内に含まれるＬＰＰａ：ＯＴＤＯＡ  Ｉｎｆｏｒｍａｔｉｏｎ  Ｒｅｑｕｅｓｔメッセージに、前記ＨｅＮＢ情報のエリア情報が設定されていてもよい。
【００７３】
さらに、Ｓ３０３における本実施の形態の特徴として、Ｅ−ＳＭＬＣ（Ｎ００１）から指定された位置情報エリアに在圏するＨｅＮＢ，ｅＮＢが複数となる場合に、ＭＭＥ（００２）は複数のＨｅＮＢ、ＧＷ、ｅＮＢに位置関連情報メッセージを転送してもよい。
【００７４】
Ｓ３０４において、ＧＷ（Ｎ１０６）はＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを転送するＨｅＮＢ（Ｎ１０３）を検索する。
【００７５】
Ｓ３０４における本実施の形態の特徴として、ＧＷ（Ｎ１０６）は、Ｓ３０３で受信した位置関連情報メッセージを図５に示す位置関連情報メッセージ処理部Ｎ１０６２で解析する。Ｄｅｓｔｉｎａｔｉｏｎ  Ｉｄｅｎｔｉｔｙに含まれるエリア情報に該当するＨｅＮＢ（Ｎ１０３）の情報を、ＨｅＮＢ情報データベースＮ１０６１から抽出する。そして、ＧＷ（Ｎ１０６）は位置関連情報メッセージ転送部Ｎ１０６３において、ＨｅＮＢ情報データベースＮ１０６１から抽出されたＨｅＮＢ（Ｎ１０３）に向けて位置関連情報メッセージを転送する。
【００７６】
さらに、Ｓ３０３における本実施の形態の特徴として、ＭＭＥ（Ｎ００２）から指定された位置情報エリアに在圏するＨｅＮＢが複数となる場合に、ＧＷ（Ｎ１０６）は複数のＨｅＮＢに位置関連情報メッセージを転送してもよい。
【００７７】
Ｓ３０５において、ＧＷ（Ｎ１０６）はＳ３０４で決定したＨｅＮＢ（Ｎ１０３）にＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００７８】
Ｓ３０６において、ＨｅＮＢ（Ｎ１０３）はＳ３０５で受信したＯＴＤＯＡ  Ｉｎｆｏｒｍａｔｉｏｎ  Ｒｅｑｕｅｓｔに含まれるＯＴＤＯＡ  Ｉｎｆｏｒｍａｔｉｏｎ  Ｉｔｅｍに従い、ＨｅＮＢ（Ｎ１０３）の情報を収集する。
【００７９】
Ｓ３０７において、ＨｅＮＢ（Ｎ１０３）はＧＷ（Ｎ１０６）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００８０】
Ｓ３０８において、ＧＷ（Ｎ１０６）はＭＭＥ（Ｎ００２）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを転送する。
【００８１】
Ｓ３０８の本実施形態の特徴として、ＧＷ（Ｎ１０６）はＳ３０５において複数のＨｅＮＢ（Ｎ１０３）に対してＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを転送している場合には、Ｓ３０７において複数のＨｅＮＢ（Ｎ１０３）からＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを取得することになるが、ＭＭＥ（Ｎ００２）に送信するＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージにおいて、Ｓ３０７で受信する複数のＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを集約して、ＭＭＥに送信する。一つのメッセージで送信してもよいし、分割して送ってもよい。分割する場合には、ＬＰＰａ：ＯＴＤＯＡ  Ｉｎｆｏｒｍａｔｉｏｎ  Ｒｅｓｐｏｎｓｅメッセージに含まれるＬＰＰａ  Ｔｒａｎｓａｃｔｉｏｎ  ＩＤ（処理番号）は同じ値を使用する。分割送信となる場合、その関連性を示す識別子を付与してもよい。たとえば、Ｓｕｂ−Ｔｒａｎｓａｃｔｉｏｎ  ＩＤ（準処理番号）等を付与してもよい。また、一つのＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージに含められるＬＰＰａ：ＯＴＤＯＡ  Ｉｎｆｏｒｍａｔｉｏｎ  Ｒｅｓｐｏｎｓｅのセル情報の数も非特許文献４に規定される２５６セルよりも多くしてもよい。
【００８２】
Ｓ３０９において、ＭＭＥ（Ｎ００２）はＥ−ＳＭＬＣ（Ｎ００１）にＬＣＳ−ＡＰ：Ｃｏｎｎｅｃｔｉｏｎｌｅｓｓ  Ｉｎｆｏｒｍａｔｉｏｎメッセージを送信する。
【００８３】
Ｓ３０９の本実施の形態の特徴として、ＭＭＥ（Ｎ００２）はＳ３０３において複数のＨｅＮＢ，ｅＮＢ，ＧＷに対してＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを転送している場合には、Ｓ３０８において複数のＨｅＮＢ，ｅＮＢ，ＧＷからＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを取得することになるが、Ｅ−ＳＭＬＣ（Ｎ００１）に送信するＬＣＳ−ＡＰ：Ｃｏｎｎｅｃｔｉｏｎｌｅｓｓ  Ｉｎｆｏｒｍａｔｉｏｎメッセージにおいて、Ｓ３０８で受信する複数のＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを集約して、Ｅ−ＳＭＬＣに送信する。一つのメッセージで送信してもよいし、分割して送ってもよい。分割する場合には、ＬＰＰａ：ＯＴＤＯＡ  Ｉｎｆｏｒｍａｔｉｏｎ  Ｒｅｓｐｏｎｓｅメッセージに含まれるＬＰＰａ  Ｔｒａｎｓａｃｔｉｏｎ  ＩＤは同じ値を使用する。分割送信となる場合、その関連性を示す識別子を付与してもよい。たとえば、Ｓｕｂ−Ｔｒａｎｓａｃｔｉｏｎ  ＩＤ等を付与してもよい。また、一つのＳ１ＡＰ：ＵＰＬＩＮＫ  ＮＯＮ  ＵＥ ＡＳＳＯＣＩＡＴＥＤ  ＬＰＰＡ  ＴＲＡＮＳＰＯＲＴメッセージに含められるＬＰＰａ：ＯＴＤＯＡ  Ｉｎｆｏｒｍａｔｉｏｎ  Ｒｅｓｐｏｎｓｅのセル情報の数も非特許文献４に規定される２５６セルよりも多くしてもよい。
【００８４】
＜実施の形態１の効果＞
本実施の形態による効果は以下の通りである。
【００８５】
第一に、ＭＭＥとＨｅＮＢまたはｅＮＢとの間にＧＷやＤｅＮＢ等中継する装置ＧＷが存在するネットワークにおいて、Ｅ−ＳＭＬＣが位置エリア情報を指定してＭＭＥに位置情報要求を送信し、ＭＭＥがＧＷと接続するＨｅＮＢの位置エリア情報を保持しているため、ＭＭＥがＥ−ＳＭＬＣから指定される位置エリア情報から、どのＧＷに位置関連情報メッセージを転送すればよいかが判定でき、その結果、Ｅ−ＳＭＬＣは、Ｅ−ＳＭＬＣが指定したＨｅＮＢの位置情報を正しく取得する事が可能となる。
【００８６】
第二に、ＭＭＥがＧＷに送信するＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージにおいて、ＭＭＥが位置エリア情報を設定しているため、ＧＷがどのＨｅＮＢに位置関連情報メッセージを転送すればよいかが判定でき、その結果Ｅ−ＳＭＬＣは、Ｅ−ＳＭＬＣがＨｅＮＢの位置情報を正しく取得する事が可能となる。
【００８７】
第三に、ＭＭＥはＥ−ＳＭＬＣから指定された位置エリア情報に該当するＨｅＮＢ，ＧＷ，ｅＮＢの一部または複数に位置関連情報メッセージを転送し、前記ＨｅＮＢ，ＧＷ，ｅＮＢから受信する位置関連情報メッセージを集約してＥ−ＳＭＬＣに送信しているため、Ｅ−ＳＭＬＣは各ｅＮＢ、ＨｅＮＢのＧｌｏｂａｌ  ｅＮＢ  ＩＤ毎に、基地局数分繰り返し送信する事なく、一度のメッセージで複数の基地局の情報を取得することが可能となる。
【００８８】
第四に、ＧＷは、ＭＭＥから指定された位置エリア情報に該当するＨｅＮＢの一部または複数に位置関連情報メッセージを転送し、前記ＨｅＮＢから受信する位置関連情報メッセージを集約してＭＭＥに送信しているため、Ｅ−ＳＭＬＣは各ＨｅＮＢのＧｌｏｂａｌ  ｅＮＢ  ＩＤ毎に、基地局数分繰り返し送信する事なく、一度のメッセージで複数の基地局の情報を取得することが可能となる。
【００８９】
（実施の形態２）
以下、図面を参照して実施の形態２について説明する。本実施の形態は、Ｅ−ＳＭＬＣがＧＷと直接メッセージ交換を実施する例である。
【００９０】
＜実施の形態２の構成＞
本実施の形態の構成を、図７を用いて説明する。構成要素は図１と同じであるが、Ｅ−ＳＭＬＣ（Ｎ００１）は、ＧＷ（Ｎ１０６）と直接接続する事を可能とする。非特許文献２のＦｉｇｕｒｅ  ５．２−１によると、ＬＣＳ−ＡＰのプロトコルは、ＭＭＥ−Ｅ−ＳＭＬＣ間のＳＬｓ  Ｉｎｔｅｒｆａｃｅとして定義されているが、本実施の形態によると、図８に示す通り、ＧＷとＥ−ＳＭＬＣ間のＳＬｓ’  Ｉｎｔｅｒｆａｃｅとして再定義される事となる。ＧＷ（Ｎ１０６）とＥ−ＳＭＬＣ（Ｎ００１）との間のパスをＭＭＥ（Ｎ００２）ではトンネルパスとして形成することも可能である。
【００９１】
＜実施の形態２の動作＞
本実施の形態の動作を図９に示すメッセージシーケンス図を用いて説明する。図９の動作は、図１３とほぼ同等であるが、以下の点が異なる。
【００９２】
Ｓ４０１において、Ｅ−ＳＭＬＣ（Ｎ００１）は、ＬＣＳ−ＡＰ：Ｃｏｎｎｅｃｔｉｏｎｌｅｓｓ  Ｉｎｆｏｒｍａｔｉｏｎメッセージを送信する。
【００９３】
Ｓ４０１における本実施の形態の特徴として、Ｅ−ＳＭＬＣ（Ｎ００１）は本メッセージを直接ＧＷ（Ｎ１０６）に送信する。Ｄｅｓｔｉｎａｔｉｏｎ ＩＤに設定されるＧｌｏｂａｌ  ｅＮＢ  ＩＤがＧＷ（Ｎ１０６）配下のＨｅＮＢ（Ｎ１０３）である場合に送信される。
【００９４】
Ｓ４０２において、ＧＷ（Ｎ１０６）はＥ−ＳＭＬＣ（Ｎ００１）からＳ４０１で受信したＬＣＳ−ＡＰ：Ｃｏｎｎｅｃｔｉｏｎｌｅｓｓ  Ｉｎｆｏｒｍａｔｉｏｎメッセージに含まれるＤｅｓｔｉｎａｔｉｏｎ  Ｉｄｅｎｔｉｔｙに指定されたＧｌｏｂａｌ  ｅＮＢ  ＩＤに従い、位置制御情報メッセージの送信対象となるＨｅＮＢ（Ｎ１０３）を決定する。
【００９５】
Ｓ４０３において、ＧＷ（Ｎ１０６）はＳ４０２で決定したＨｅＮＢ（Ｎ１０３）にＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００９６】
Ｓ４０４において、ＨｅＮＢ（Ｎ１０３）はＳ４０３で受信したＯＴＤＯＡ  Ｉｎｆｏｒｍａｔｉｏｎ  Ｒｅｑｕｅｓｔに含まれるＯＴＤＯＡ  Ｉｎｆｏｒｍａｔｉｏｎ  Ｉｔｅｍに従い、ＨｅＮＢ（Ｎ１０３）の情報を収集する。
【００９７】
Ｓ４０５において、ＨｅＮＢ（Ｎ１０３）はＧＷ（Ｎ１０６）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【００９８】
Ｓ４０６において、ＧＷ（Ｎ１０６）はＬＣＳ−ＡＰ：Ｃｏｎｎｅｃｔｉｏｎｌｅｓｓ  Ｉｎｆｏｒｍａｔｉｏｎメッセージを送信する。Ｓ４０６における本実施の形態の特徴として、ＧＷ（Ｎ１０６）は本メッセージを直接Ｅ−ＳＭＬＣ（Ｎ００１）に送信する。
【００９９】
なお、他のＬＣＳ−ＡＰメッセージ、たとえば、ＬＣＳ−ＡＰ：Ｃｏｎｎｅｃｔｉｏｎ  Ｏｒｉｅｎｔｅｄ  ｍｅｓｓａｇｅについては、Ｅ−ＳＭＬＣ（Ｎ００１）は通常通りＭＭＥ（Ｎ００２）を経由して送信される。その場合、非特許文献２のＦｉｇｕｒｅ  ５．２−１に示される通りに、ＬＣＳ−ＡＰのプロトコルは、ＭＭＥ−Ｅ−ＳＭＬＣ間のＳＬｓ Ｉｎｔｅｒｆａｃｅが利用される。
【０１００】
＜実施の形態２の効果＞
本実施の形態による効果は以下の通りである。
【０１０１】
第一に、ＬＣＳ−ＡＰのプロトコルメッセージがＥ−ＳＭＬＣとＧＷとの間で交換されるため、ＧＷは対象Ｇｌｏｂａｌ  ｅＮＢ  ＩＤ情報を取得でき、どのｅＮＢに位置関連情報メッセージを送信すればよいかが判定でき、その結果、Ｅ−ＳＭＬＣは、Ｅ−ＳＭＬＣが指定したＨｅＮＢの位置情報を正しく取得する事が可能となる。
【０１０２】
第二に、ＬＣＳ−ＡＰのプロトコルメッセージがＥ−ＳＭＬＣとＧＷとの間で交換されるため、ＬＣＳ−ＡＰのプロトコルにも、Ｓ１ＡＰのプロトコルにも追加パラメータを必要としないため、Ｅ−ＳＭＬＣ、ＭＭＥ及びｅＮＢに影響を与えないで、Ｅ−ＳＭＬＣが指定したＨｅＮＢの位置情報を正しく取得する事が可能となる。
【０１０３】
第三に、ＬＣＳ−ＡＰのコネクションレスメッセージ以外のＬＣＳ−ＡＰメッセージが、Ｅ−ＳＭＬＣからＭＭＥを経由して送信されるため、Ｅ−ＳＭＬＣ、ＭＭＥ及びｅＮＢに影響を与えないで、Ｅ−ＳＭＬＣが実施するＬＣＳ−ＡＰに関する手順を実施する事が可能である。
【０１０４】
（実施の形態３）
以下、図面を参照して実施の形態３について説明する。本実施の形態は、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージをＭＭＥが直接ＨｅＮＢに送信する例である。
【０１０５】
＜実施の形態３の構成＞
本実施の形態の構成を、図１０を用いて説明する。構成要素は図１と同じであるが、ＭＭＥ（Ｎ００２）は、ＧＷ（Ｎ１０６）経由でＨｅＮＢ（Ｎ１０３）と接続すると共に、ＨｅＮＢ（Ｎ１０３）と直接接続する事を可能とする。ＭＭＥ（Ｎ００２）とＨｅＮＢ（Ｎ１０３）間のパスをＧＷ（Ｎ１０６）ではトンネルパスとして形成することも可能である。
【０１０６】
ＭＭＥ（Ｎ００２）の内部構成において、図４に示すＨｅＮＢ及びＧＷ情報データベースＮ００２１には、各ＨｅＮＢ（Ｎ１０３）のＧｌｏｂａｌ  ｅＮＢ  ＩＤ情報とその経路とを保管する事となる。
【０１０７】
＜実施の形態３の動作＞
本実施の形態の動作を図１１に示すメッセージシーケンス図を用いて説明する。図１１の動作は、図１３とほぼ同等であるが、以下の点が異なる。
【０１０８】
Ｓ５０１において、Ｅ−ＳＭＬＣ（Ｎ００１）は、ＭＭＥ（Ｎ００２）にＬＣＳ−ＡＰ：Ｃｏｎｎｅｃｔｉｏｎｌｅｓｓ  Ｉｎｆｏｒｍａｔｉｏｎメッセージを送信する。
【０１０９】
Ｓ５０２において、ＭＭＥ（Ｎ００２）はＥ−ＳＭＬＣ（Ｎ００１）からＳ５０１で受信したＬＣＳ−ＡＰ：Ｃｏｎｎｅｃｔｉｏｎｌｅｓｓ  Ｉｎｆｏｒｍａｔｉｏｎメッセージに含まれるＤｅｓｔｉｎａｔｉｏｎ  Ｉｄｅｎｔｉｔｙに指定されたＧｌｏｂａｌ  ｅＮＢ  ＩＤに従い、位置制御情報メッセージの転送対象となるＨｅＮＢ（Ｎ１０３）を決定する。
【０１１０】
Ｓ５０２における本発明の特徴として、ＭＭＥ（Ｎ００２）は、Ｓ５０１で受信した位置関連情報メッセージを図４に示す位置関連情報メッセージ処理部Ｎ００２２で解析する。Ｄｅｓｔｉｎａｔｉｏｎ  Ｉｄｅｎｔｉｔｙに含まれるＧｌｏｂａｌ  ｅＮＢ  Ｉｄｅｎｔｉｔｙに該当するＨｅＮＢ（Ｎ１０３）の情報を、ＨｅＮＢ及びＧＷ情報データベースＮ００２１から抽出する。そして、ＭＭＥ（Ｎ００２）は位置関連情報メッセージ転送部Ｎ００２３において、ＨｅＮＢ及びＧＷ情報データベースＮ００２１から抽出されたＨｅＮＢ（Ｎ１０３）に向けて位置関連情報メッセージを転送する。一般にＨｅＮＢ（Ｎ１０３）はＧＷ（Ｎ１０６）によってＳ１ＡＰメッセージが集約制御されているけれども、位置制御情報メッセージに関するＳ１ＡＰメッセージはＧＷ（Ｎ１０６）を経由することなく、ＨｅＮＢ（Ｎ１０３）へ送信する事を可能とする。
【０１１１】
Ｓ５０３において、ＭＭＥ（Ｎ００２）はＳ５０２で決定したＨｅＮＢ（Ｎ１０３）にＳ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【０１１２】
Ｓ５０４において、ＨｅＮＢ（Ｎ１０３）はＳ５０３で受信したＯＴＤＯＡ  Ｉｎｆｏｒｍａｔｉｏｎ  Ｒｅｑｕｅｓｔに含まれるＯＴＤＯＡ  Ｉｎｆｏｒｍａｔｉｏｎ  Ｉｔｅｍに従い、ＨｅＮＢ（Ｎ１０３）の情報を収集する。
【０１１３】
Ｓ５０５において、ＨｅＮＢ（Ｎ１０３）はＭＭＥ（Ｎ００２）にＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージを送信する。
【０１１４】
Ｓ５０５における本実施の形態の特徴として、ＨｅＮＢ（Ｎ１０３）は本メッセージを直接ＭＭＥ（Ｎ００２）に送信する。ＨｅＮＢ（Ｎ１０３）はＳ１ＡＰプロトコルメッセージがＧＷ（Ｎ１０６）によって集約管理されていても、本メッセージはＭＭＥ（Ｎ００２）に送信する事を可能とする。
【０１１５】
Ｓ５０６において、ＭＭＥ（Ｎ００２）はＬＣＳ−ＡＰ：Ｃｏｎｎｅｃｔｉｏｎｌｅｓｓ  ＩｎｆｏｒｍａｔｉｏｎメッセージをＥ−ＳＭＬＣ（Ｎ００１）に送信する。
【０１１６】
なお、Ｓ５０５におけるＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージは、ＧＷ（Ｎ１０６）を経由してもよい。その場合、ＭＭＥ（Ｎ００２）が送信するＬＣＳ−ＡＰ：Ｃｏｎｎｅｃｔｉｏｎｌｅｓｓ  ＩｎｆｏｒｍａｔｉｏｎメッセージのＳｏｕｒｃｅ  ＩＤは、Ｓ５０１において送信されるＬＣＳ−ＡＰ：Ｃｏｎｎｅｃｔｉｏｎｌｅｓｓ  Ｉｎｆｏｒｍａｔｉｏｎメッセージ内のＯＴＤＯＡ  Ｉｎｆｏｒｍａｔｉｏｎ  Ｒｅｑｕｅｓｔに含まれるＬＰＰａ  Ｔｒａｎｓａｃｔｉｏｎ  ＩＤに該当するＤｅｓｔｉｎａｔｉｏｎ  ＩＤと同じＧｌｏｂａｌ  ｅＮＢ  ＩＤが設定されることとなる。
【０１１７】
＜実施の形態３の効果＞
本実施の形態による効果は以下の通りである。
【０１１８】
第一に、ＭＭＥがＨｅＮＢ情報とその経路とを保持しているため、ＭＭＥは、ＬＣＳ−ＡＰ：Ｃｏｎｎｅｃｔｉｏｎｌｅｓｓ  Ｉｎｆｏｒｍａｔｉｏｎメッセージに含まれるＤｅｓｔｉｎａｔｉｏｎ  ＩＤに設定されているＧｌｏｂａｌ  ｅＮＢ  ＩＤ情報から、位置情報要求メッセージを転送する先を特定する事ができ、Ｅ−ＳＭＬＣは、Ｅ−ＳＭＬＣが指定したＨｅＮＢの位置情報を正しく取得する事が可能となる。
【０１１９】
第二に、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージをＭＭＥが直接ＨｅＮＢに送信するため、Ｅ−ＳＭＬＣは、Ｅ−ＳＭＬＣが指定したＨｅＮＢの位置情報を正しく取得する事が可能となる。
【０１２０】
第三に、Ｓ１ＡＰ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージと、Ｓ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージがＧＷを経由することなくＭＭＥとＨｅＮＢ間とを送受信する事は、ＬＣＳ−ＡＰのプロトコルにもＳ１ＡＰのプロトコルにも追加パラメータを必要としないため、Ｅ−ＳＭＬＣ、ＭＭＥ、ｅＮＢに影響を与えないで、Ｅ−ＳＭＬＣが指定したＨｅＮＢの位置情報を正しく取得する事が可能となる。
【０１２１】
（実施の形態４）
上記実施の形態において、Ｏ＆Ｍサーバ（Operation & Maintenance）等による他の制御ルートを利用する位置情報制御方法としてもよい。
【０１２２】
例えば、実施の形態２や実施の形態３のように途中の経路を変更する事を可能とし、ＧＷとＭＭＥの両方を経由せず、Ｅ−ＳＭＬＣが、ＨｅＮＢが管理されるマネージメントシステムから、もしくは前記マネージメントシステムを経由してＨｅＮＢからＨｅＮＢの位置情報を取得する事を可能とする。
【０１２３】
その効果として、Ｅ−ＳＭＬＣが指定したＨｅＮＢの位置情報を正しく取得する事が可能となる。
【０１２４】
（実施の形態５）
モバイルネットワークは、ＳＯＮ（Self Organizing Network)やＥｎｅｒｇｙ  Ｓａｖｉｎｇ、Ｃｅｌｌ  Ｏｕｔａｇｅ  Ｃｏｍｐｅｎｓａｔｉｏｎを一例としたＳｅｌｆ  ｈｅａｌｉｎｇ機能、Ｍｏｂｉｌｅ  Ｒｅｌａｙ  ｅＮＢ機能による基地局自身の移動等によって、セルの情報・状態及び隣接セルの情報・状態が動的に変更される事が一般的である。
【０１２５】
実施の形態１〜４において、前述の通りセルの情報・状態及び隣接セルの情報・状態が動的に変更される場合、特に前記ＨｅＮＢの位置情報のうち、ＨｅＮＢのｅＮＢ  ＩＤやＣｅｌｌ  Ｉｄｅｎｔｉｔｙ，ＰＣＩ（Physical Cell Identity）、ＨｅＮＢの位置情報などのセル情報の一部が変更される場合、ＧＷ内Ｄａｔａｂａｓｅ、ＭＭＥ内Ｄａｔａｂａｓｅ及びＥ−ＳＭＬＣが取得したＨｅＮＢ位置情報を更新するために、ＨｅＮＢから、変更された事を示すメッセージが送信される事を可能としてもよい。
【０１２６】
その効果として、Ｅ−ＳＭＬＣが指定したＨｅＮＢの位置情報を常に正しく最新の情報として取得する事が可能となる。
【０１２７】
（実施の形態６）
前記実施の形態１において、ＬＰＰａ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに注目した制御方法であったが、Ｓ１ＡＰ：  ＵＰＬＩＮＫ  ＮＯＮ  ＵＥ  ＡＳＳＯＣＩＡＴＥＤ  ＬＰＰＡ  ＴＲＡＮＳＰＯＲＴメッセージの転送先において、図１２に示すＭＭＥ（Ｎ９０２）が複数存在する場合にも課題がある。
【０１２８】
Ｓ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージには、ＬＰＰａ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージに含まれるＲｏｕｔｉｎｇ  ＩＤが含まれるが、ＧＷがＭＭＥから受信したＬＰＰａ：ＤＯＷＮＬＩＮＫ  ＮＯＮ  ＵＥ  ＡＳＳＯＣＩＡＴＥＤ  ＬＰＰＡ  ＴＲＡＮＳＰＯＲＴメッセージの送信元ＭＭＥと、ＧＷがｅＮＢから受信するＳ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージとをそれぞれに設定されるＲｏｕｔｉｎｇ  ＩＤと転送先ＨｅＮＢの情報と、受信元ＨｅＮＢの情報でマッピングさせる必要がある。
【０１２９】
そこで、Ｓ１ＡＰ：ＵＰＬＩＮＫ  ＮＯＮ  ＵＥ  ＡＳＳＯＣＩＡＴＥＤ  ＬＰＰＡ  ＴＲＡＮＳＰＯＲＴメッセージにＭＭＥの情報を含めてもよい。
【０１３０】
なお、実施の形態２〜６においても実施の形態１と同様に、ＨｅＮＢとＭＭＥとの間にＨｅＮＢＧＷが接続されるケースを一例として表現しているが、ＭＭＥといずれの形態の基地局（ｅＮＢ、ＨｅＮＢ、ＲＮ、ＳｅＮＢ等）との間に中継装置が接続されるアーキテクチャにおいても同様に本発明は適用できる。
【０１３１】
なお、本発明は上記実施の形態に限られたものではなく、趣旨を逸脱しない範囲で適宜変更することが可能である。
【０１３２】
上述の実施形態における各構成は、ハードウェア又はソフトウェア、もしくはその両方によって構成され、１つのハードウェア又はソフトウェアから構成してもよいし、複数のハードウェア又はソフトウェアから構成してもよい。ノードの各機能（各処理）を、ＣＰＵやメモリ等を有するコンピュータにより実現してもよい。例えば、記憶装置に実施形態における通信方法（通信処理）を行うための通信プログラムを格納し、各機能を、記憶装置に格納された通信プログラムをＣＰＵで実行することにより実現してもよい。
【０１３３】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３４】
上記の実施形態の一部または全部は、以下の付記のようにも記載され得るが、以下には限られない。
【０１３５】
（付記１）
基地局と基地制御局との間に中継装置が接続される無線通信システムにおいて、
位置情報制御局から要求される、基地局の識別子が設定された位置情報要求が、中継装置に送信されることを特徴とする無線通信システム。
【０１３６】
（付記２）
基地局と基地制御局との間に中継装置が接続される無線通信システムにおいて、
位置情報制御局から基地制御局に要求される、基地局の位置情報要求が、基地制御局から中継装置を経由しないで基地局に送信されることを特徴とする無線通信システム。
【０１３７】
（付記３）
基地局と基地制御局とに接続し、基地局と基地制御局との間に中継装置が存在する無線通信システムにおいて、
位置情報制御局から要求される、基地局の位置情報要求が、基地制御局と中継装置とを経由せず他の管理サーバに送信されることを特徴とする無線通信システム。
【０１３８】
（付記４）
付記３において、前記位置情報要求は前記管理サーバを経由して基地局に送信されることを特徴とする無線通信システム。
【０１３９】
以上、実施の形態を参照して本願発明を説明したが、本願発明は上記によって限定されるものではない。本願発明の構成や詳細には、発明のスコープ内で当業者が理解し得る様々な変更をすることができる。
【０１４０】
この出願は、２０１３年１０月３１日に出願された日本出願特願２０１３−２２６１８４を基礎とする優先権を主張し、その開示の全てをここに取り込む。
【符号の説明】
【０１４１】
１０      位置情報制御局
１１      要求生成部
１２      要求送信部
２０      基地制御局
２１      要求受信部
２２      要求送信部
３０      中継装置
４０      基地局
Ｎ００１    Ｅ−ＳＭＬＣ
Ｎ００２    ＭＭＥ
Ｎ００５    ＵＥ
Ｎ１０３    ＨｅＮＢ
Ｎ１０４    セル
Ｎ１０６    ＧＷ
Ｎ００２１  ＨｅＮＢ及びＧＷ情報データベース
Ｎ００２２  位置関連情報メッセージ処理部
Ｎ００２３  位置関連情報メッセージ転送部
Ｎ１０６１  ＨｅＮＢ情報データベース
Ｎ１０６２  位置関連情報メッセージ処理部
Ｎ１０６３  位置関連情報メッセージ転送部
Ｎ９０１    Ｅ−ＳＭＬＣ
Ｎ９０２    ＭＭＥ
Ｎ９０３    ｅＮＢ
Ｎ９０４    セル
Ｎ９０５    ＵＥ
【図１】
2015063984.tif 000003
【図２Ａ】
2015063984.tif 000004
【図２Ｂ】
2015063984.tif 000005
【図３】
2015063984.tif 000006
【図４】
2015063984.tif 000007
【図５】
2015063984.tif 000008
【図６Ａ】
2015063984.tif 000009
【図６Ｂ】
2015063984.tif 000010
【図７】
2015063984.tif 000011
【図８】
2015063984.tif 000012
【図９】
2015063984.tif 000013
【図１０】
2015063984.tif 000014
【図１１】
2015063984.tif 000015
【図１２】
2015063984.tif 000016
【図１３】
2015063984.tif 000017
【国際調査報告】
2015063984.tif 000018
2015063984.tif 000019
2015063984.tif 000020
2015063984.tif 000021